(57)【要約】【課題】電気かみそりを固い床面などに落とした場合でも、本体ケースやケース内装部品が破損するのを防止する。【解決手段】本体ケース１の下部周面に装填部９を段落ち状に設け、この装填部９にプロテクター５を外嵌装着して、本体ケース１の壊れやすい底隅を保護する。プロテクター５は保護筒壁３０、保護底壁３１、および左右の保護側壁３２を備えており、保護底壁３１の下面側からねじ込んだビス４４で本体ケース１に締結固定されている。【選択図】        図１
2004159775.tif 000002
【特許請求の範囲】
【請求項１】
本体ケース１の内部に、内刃２３を駆動するモーター１８と、電装品ホルダー１５とが収容され、電装品ホルダー１５に電池１７が組み込まれている電気かみそりであって、
本体ケース１の下端側に、ケース破損や内部部品の故障を防ぐプロテクター５が装着されていることを特徴とする電気かみそり。
【請求項２】
本体ケース１が、底壁１０を含んで有底筒状に形成されており、
プロテクター５が、本体ケース１の下部周面に外嵌する保護筒壁３０と、保護筒壁３０に連続して本体ケース１の底壁１０を覆う保護底壁３１とを含んで筒状に形成されており、
プロテクター５が、本体ケース１の下部周面に着脱自在に固定されている請求項１記載の電気かみそり。
【請求項３】
プロテクター５の保護筒壁３０の左右両側に、本体ケース１の左右側壁の外面を覆う保護側壁３２が上向きに突設されている請求項２記載の電気かみそり。
【請求項４】
本体ケース１の下部周面に、プロテクター５の上側外郭線に合致する装填部９が形成されており、
装填部９に外嵌装着したプロテクター５と、本体ケース１の表面とが、滑らかに連続している請求項１または２または３記載の電気かみそり。
【請求項５】
プロテクター５と装填部９との間に、プロテクター５の撓み変形を許す隙間Ｅが形成されている請求項４記載の電気かみそり。
【請求項６】
プロテクター５の保護側壁３２が、上すぼまり状に形成されている請求項４または５に記載の電気かみそり。
【請求項７】
プロテクター５の表面に、本体ケース１の表面より大きな摩擦力を発揮する滑り止め面３５が形成されている請求項１記載の電気かみそり。
【請求項８】
プロテクター５の全体が、ゴムおよびエラストマー樹脂で成形されている請求項７記載の電気かみそり。
【請求項９】
本体ケース１の前面に、スイッチパネル３を有し、
スイッチパネル３の下部と保護側壁３２の上部とが、上下方向に互い違い状に重なっている請求項１記載の電気かみそり。
【発明の詳細な説明】
【０００１】
【発明の属する技術分野】
この発明は、本体ケースの下端部やその内部に組み込まれた部品を保護するためのプロテクターを備えた電気かみそりに関する。
【０００２】
【従来の技術】
電気かみそりにおいて本体ケースを内外二重に構成することは公知である（特許文献１、特許文献２参照）。特許文献１に係る電気かみそりは、モーターなどの駆動部品が収容されるかみそり本体と、かみそり本体の下部に着脱自在に装着される楕円筒状の電池ケースと、電池ケースに外嵌する状態でかみそり本体の下部に装着される有底筒状の外カバーとを備えている。特許文献２に係るフェイスシェーバーでは、前後で蓋合わせ状に接合される内ケースと、内ケースに外嵌する筒状の外ケースと、内ケースの下端に外嵌する電池キャップなどで本体ケースが構成されている。
【０００３】
【特許文献１】
特開平１１−２４４５５３号公報（段落番号００１５−００２２、図２）
【特許文献２】
特開２００２−１９９９２３号公報（段落番号００１８−００２１、図１）
【０００４】
【発明が解決しようとする課題】
特許文献１に係る電気かみそりは、不使用時の電池ケースやかみそり本体と、これらの外面を覆う外カバーとが内外二重のケース構造になっている。しかし、外カバーはかみそり本体の収納ケースに過ぎず、使用状態においてかみそり本体を床面に取り落とすようなことがあると、本体ケースが破損したり、本体ケースの内部に収容した電気部品が壊れることがある。
【０００５】
特許文献２に係るフェイスシェーバーのケース体は、内ケースと外ケースとで二重構造になっているが、ケース体の下端が電池キャップで覆われているだけであるため、電池キャップが落下衝撃をうけた場合に破損するおそれがある。
【０００６】
電気かみそりには限らないが、手持ちタイプの小形電気機器の場合には、機器を誤って床面や洗面台などに取り落としやすい。タイル床のように床面が硬い場合には、落下した機器の本体ケースが破損し、あるいはケース内部の部品が落下衝撃で所定の収容位置からずれ動いて、例えば接触不良や断線などの電気的な故障を招くことがある。
【０００７】
このような落下事故によるケース破損や、落下衝撃に伴う内部部品の保護を強化するうえで、特許文献２に認められるように、ケース構造を二重にすることは一応有効ではある。しかし、本体ケースの全体を内外二重にすると、本体ケースが大型化し、その重量や製造コストが嵩むうえに、必要でない個所までが二重のケース構造で保護され、機能過剰に陥るおそれがある。
【０００８】
一般的な構造の電気かみそりが落下した場合に床面と衝突する個所は、かみそりヘッド、本体ケースの下端、あるいは本体ケースの周面であるが、ケース破損に至る個所は、衝突荷重が集中しやすいかみそりヘッドと本体ケースの下端であることが多い。因みに、かみそりヘッドの外面は、もともと着脱可能な外刃ホルダーで覆われているので、外刃ホルダーが破損しても、ユーザー自身で簡単に部品交換を行える。
【０００９】
しかし、本体ケースの下端が破損した場合には、電気かみそりの全体を分解して本体ケースを交換しなければならず、この種の作業を行うのには手間と時間が必要である。とくに、水洗い式の電気かみそりの場合には、組み立て直した電気かみそりのシールを適正に行う必要があり、殆どの場合はサービスセンターやメーカーなどで修理することになる。
【００１０】
この発明の目的は、機能過剰に陥るのを避けながら、修理に手間が掛かる本体ケースの下端部の破損や内部部品の保護を強化できるプロテクターを備えた電気かみそりを提供することにある。この発明の目的は、プロテクターが本体ケースの破損に先行して破損することにより、本体ケースの破損を確実に防止できるうえ、プロテクターの交換作業を簡単に行える電気かみそりを提供することにある。
【００１１】
この発明の目的は、有底筒状の本体ケースの内部に２次電池と制御基板とが配されている水洗い式の電気かみそりにおいて、２次電池や制御基板などを接続する電気配線が、繰り返しの落下衝撃を受けて接触不良になったり、あるいは断線したりするのを確実に防止できるプロテクター付きの電気かみそりを提供することにある。
【００１２】
【課題を解決するための手段】
この発明は、本体ケース１の内部に、内刃２３を駆動するモーター１８と電装品ホルダー１５とが収容され、電装品ホルダー１５に電池１７が組み込まれている電気かみそりにおいて、本体ケース１の下端側に、ケース破損や内部部品の故障を防ぐプロテクター５が装着されていることを特徴とする（請求項１）。
【００１３】
本体ケース１は、底壁１０を含んで有底筒状に形成されており、プロテクター５は、本体ケース１の下部周面に外嵌する保護筒壁３０と、保護筒壁３０に連続して本体ケース１の底壁１０を覆う保護底壁３１とを含んで筒状に形成されており、プロテクター５が、本体ケース１の下部周面に着脱自在に固定されている（請求項２）。
【００１４】
プロテクター５の保護筒壁３０の左右両側には、本体ケース１の左右側壁の外面を覆う保護側壁３２を上向きに突設されている（請求項３）。
【００１５】
本体ケース１の下部周面には、プロテクター５の上側外郭線に合致する装填部９が形成されており、装填部９に外嵌装着したプロテクター５と、本体ケース１の表面とが、滑らかに連続している（請求項４）。
【００１６】
プロテクター５と装填部９との間には、プロテクター５の撓み変形を許す隙間Ｅを形成することができる（請求項５）。そのプロテクター５の保護側壁３２は、上すぼまり状に形成することができる（請求項６）。
【００１７】
プロテクター５の表面には、本体ケース１の表面より大きな摩擦力を発揮する滑り止め面３５が形成されている（請求項７）。そのプロテクター５の全体は、ゴムおよびエラストマー樹脂で成形する（請求項８）。
【００１８】
本体ケース１の前面にスイッチパネル３を有し、スイッチパネル３の下部と保護側壁３２の上部とが、上下方向に互い違い状に重なっている（請求項９）。
【００１９】
【発明の作用効果】
この発明では、本体ケース１の内部に内刃２３を駆動するモーター１８と電装品ホルダー１５とが収容され、電装品ホルダー１５に電池１７を組み込んである電気かみそりにおいて、本体ケース１の下端側に、ケース破損や内装部品の故障を防ぐプロテクター５が装着されているので、硬い床面に落として衝撃を受けるような場合でも、落下衝撃の殆どをプロテクター５で受け止めて分散でき、あるいはプロテクター５これ自体が変形ないし破損することで本体ケース１を保護でできる。従って、本体ケース１が破損したり、あるいは本体ケース１の内部に収容した電池１７やモーター１８などの部品が損傷するのを確実に防止できる（請求項１）。
【００２０】
保護筒壁３０と保護底壁３１とを含んで筒状に形成したプロテクター５が、本体ケース１の下部周面に着脱自在に外嵌装着された電気かみそりによれば、簡単な操作でプロテクター５を本体ケース１から分離できるので、破損したプロテクター５を簡単に交換することができる。本体ケース１の内部まで分解する必要がないので、水洗い式の電気かみそりであっても、問題なくプロテクター５の交換が行え、サービスセンターやメーカーなどでの修理の際に、手間と時間を省くことができる利点もある（請求項２）。
【００２１】
保護筒壁３０の左右両側に保護側壁３２を上向きに突設したプロテクター５によれば、保護側壁３２が存在する分だけプロテクター５の全体面積が増加し、増加面積の分だけ落下衝撃を分散させることができるので、プロテクター５による衝撃緩和効果がさらに向上し、本体ケース１の保護がさらに確実なものになる（請求項３）。
【００２２】
本体ケース１の下部周面に設けた装填部９にプロテクター５を外嵌装着して、プロテクター５と本体ケース１の表面とを滑らかに連続させた電気かみそりによれば、装填部９でプロテクター５の上側外郭線を受け止めて位置規制できるので、使用状態においてプロテクター５が本体ケース１に対してずれ動いたり、がたつくのを規制でき、落下衝撃を受けた片持ち状の保護側壁３２が大きく変形するのを防止し、装填部９によって保護側壁３２を補強できる（請求項４）。
【００２３】
プロテクター５と装填部９との間に、プロテクター５の撓み変形を許す隙間Ｅが形成されていると、プロテクター５自身が隙間Ｅの分だけ弾性変形することで落下衝撃を緩和吸収できるので、本体ケース１に作用する外力をさらに軽減して、プロテクター５によるケース保護作用が確実化する（請求項５）。
【００２４】
保護側壁３２を上すぼまり状に形成したプロテクター５によれば、プロテクター５を装填部９に差し込み装填する際に、装填部９で保護側壁３２をガイドしながらプロテクター５の組み付け姿勢を矯正できるので、プロテクター５の本体ケース１に対する組み付けが、少ない手間で簡単に行える（請求項６）。
【００２５】
プロテクター５の表面に滑り止め面３５が形成されていると、本体ケース１の表面が濡れているような場合でも、プロテクター５で手が滑るのを規制できるので、例えばかみそりヘッド２Ｂを水洗いするような場合に誤って電気かみそりを取り落とすことがない。モーター１８が駆動されている状態の電気かみそりを台上に放置すると、自己の振動によって移動して台の縁から落下することがあるが、プロテクター５の表面に滑り止め面３５が形成されていると、振動に伴う移動も阻止できる（請求項７）。
【００２６】
プロテクター５の全体が、ゴムおよびエラストマー樹脂で成形されていると、長期使用に伴う滑り止め面３５の剥離や摩滅がないので、滑り止め作用を永続的に発揮させることができ、その分だけ電気かみそりの信頼性が向上する（請求項８）。
【００２７】
本体ケース１の前面に設けたスイッチパネル３の下部と、保護側壁３２の上部とが、上下方向に互い違い状に重なるようにした電気かみそりによれば、落下した本体ケース１の周囲壁が床面に直接に当たるのを極力避けて、本体ケース１が破損する可能性を減らすことができる（請求項９）。
【００２８】
【実施例】
この発明に係る電気かみそりの実施例を図１ないし図８に示す。電気かみそりは水洗い可能に構成されており、図１ないし図４に示すように、本体ケース１と、本体ケース１に差し込み装填される作動ユニット２と、本体ケース１の前面に装着されるスイッチパネル３と、ケース後面の上下に配置されるきわぞり刃ユニット４と、本体ケース１の下部周面に装着固定されるプロテクター５とからなる。スイッチパネル３の上下には、モーター起動用のスイッチノブ６や、運転状態を表示する表示灯７などを設けてある。
【００２９】
図４において本体ケース１は、上面のみが開口する有底筒状のプラスチック成形品（例えばＡＢＳ樹脂）からなり、その下部周面にプロテクター５用の装填部９が段落ち状に形成されている。
【００３０】
本体ケース１の底壁１０には、充電用のソケットボス１１が下向きに開口する状態で突出形成されており、その左右に作動ユニット２を本体ケース１に締結するビス４４用のねじ挿通孔１２が形成されている。
【００３１】
本体ケース１の開口内面の左右には、後述する外刃ホルダー２５を係合捕捉するロックボタン１３と、ロックボタン１３を係合姿勢に押圧付勢する圧縮コイル形のばね１４とを組み込んである。左右のロックボタン１３を同時に押し込み操作すると、外刃ホルダー２５を取り外すことができる。
【００３２】
図４において作動ユニット２は、下半側の電装品ユニット２Ａと、その上部に設けられるかみそりヘッド２Ｂとからなる。電装品ユニット２Ａは、プラスチック成形品からなる電装品ホルダー１５に、スイッチやＬＥＤ、および電子部品などが実装された回路基板１６と、２次電池（電池）１７と、モーター１８などを組み付けて構成してある。
【００３３】
電装品ホルダー１６の上下にはそれぞれ収容部を形成してあり、図５に示すごとく左右に区分された下側の収容部の内部に、２次電池１７が起立姿勢で装填されており、上側の収容部にモーター１８が装填されている。電装品ホルダー１６の下端には左右一対のねじボス１９を突設し、その間に充電用の一対のプラグピン２０を突設してある。
【００３４】
図５において２次電池１７の正極と負極とにはそれぞれ正負の出力端子４７・４８が溶接されており、各電池１７の出力端子４７・４８どうしがリード線４９で直列接続され、残る出力端子４７・４８に接続した出力リード線５０・５１が回路基板１６に接続されている。このようにリード線４９・５０・５１で接続した状態の２次電池１７は、電装品ホルダー１５に組み込む。
【００３５】
図６においてかみそりヘッド２Ｂは、モーター１８の回転動力を往復動作に変換する振動子２２と、振動子２２の駆動軸と同行移動する往復動式の内刃２３と、外刃２４および外刃ホルダー２５と、振動子２２の外面を覆って密封するヘッドケース２６とからなる。
【００３６】
きわぞり刃ユニット４は、内刃２４と同様に振動子２２で駆動されるが、きわぞり刃ユニット４を図３の実線で示す下方の待機位置から、想像線で示す上方の使用位置にスライド変位した状態でのみ、振動子２２の動力がきわぞり刃ユニット４に伝動される。ヘッドケース２６は電装品ホルダー１５の上端に接合され、その上面側からねじ込んだビスで電装品ホルダー１５に締結固定してある。図６において、符号２８は電装品ホルダー１５と本体ケース１との間の隙間を封止するシールリングである。
【００３７】
落下衝撃を受けて本体ケース１の下端が破損したり、あるいは落下衝撃で本体ケース１内に配置した電気部品が位置ずれしたり、接触不良などに陥るのを防ぐために、本体ケース１の下部外面がプロテクター５で保護される。
【００３８】
図７においてプロテクター５は、本体ケース１の下部周面に外嵌する保護筒壁３０と、保護筒壁３０に連続して本体ケース１の底壁１０を覆う保護底壁３１と、保護筒壁３０の左右両側から上向きに突設されて、本体ケース１の左右側壁の外面を覆う保護側壁３２とを一体に形成した、Ｕ字状のプラスチック成形品（ＡＢＳ樹脂）からなる。保護筒壁３０と、その下端に連続する保護底壁３１との境界部分は丸められて稜線部５ａを形成している。プロテクター５の表面には、ゴム、ポリウレタン、ポリエステル・エラストマー、ポリアミド・エラストマーなどの摩擦強化体を塗布して滑り止め面３５が形成されている。保護側壁３２は上すぼまり状に形成されている。
【００３９】
図８において保護底壁３１には、本体ケース１側のソケットボス１１が嵌り込む四角形状のボス穴３３とねじ挿通孔３４とが設けてある。図１、および図８に示すように、ソケットボス１１の突端面１１ａは、保護底壁３１の底面と面一、ないしは底面より僅かに沈み込むように形成してあり、従って、プロテクター５の保護側壁３１や、稜線部５ａが床面に衝突するような場合であっても、ソケットボス１１が床面に接当して破損することはなく、ソケット３６の装着を常に円滑に行える。図８において符号３６は、プラグピン２０に接続されるソケットであり、２次電池１７の充電、或いはモーター駆動回路へ電力を直接供給するために使用する。
【００４０】
プロテクター５は、本体ケース１の装填部９に対してケース下面側から差し込み装着される。この装着状態において、保護側壁３２の一部が装填部９から浮き上がり、あるいは保護筒壁３０が周回方向へずれ動くのを規制し、さらにプロテクター５を本体ケース１に対して正しく位置決めするために、図７に示すごとく保護側壁３２の上端内縁および前後縁の中途部、および保護筒壁３０の前後内縁の中央部とにそれぞれ係止爪３７・３８・３９を突設し、これらの係止爪３７〜３９を装填部９に形成した爪受溝４０・４１・４２で受け止め係合している。
【００４１】
図１に示すように、本体ケース１にプロテクター５を装着した後、プロテクター５と本体ケース１と電装品ホルダー１５とは、プロテクター５および本体ケース１のねじ挿通孔３４・１２を介して電装品ホルダー１５のねじボス１９にねじ込まれるビス４４によって、分離不能に締結固定される。ねじボス１９、およびソケットボス１１内に突出するプラグピン２０は、それぞれの突出基端に配置したシールリング４５・４６で水密状に封止されている（図１参照）。
【００４２】
このように、保護筒壁３０と保護底壁３１とを含んで筒状に形成したプロテクター５を、本体ケース１の下部周面に外嵌装着し、保護底壁３１の下面から電装品ホルダー１５にねじ込んだビス４４で本体ケース１に締結固定すると、ビス４４を取り外すだけの簡単な操作でプロテクター５を本体ケース１から分離できるので、破損したプロテクター５を簡単に交換することができる。プロテクター５の交換時には、本体ケース１の内部まで分解する必要がないので、水洗い式の電気かみそりであっても、問題なくプロテクター５の交換を行え、サービスセンターやメーカーなどでの修理の際に、手間と時間を省くことができる。
【００４３】
また、ビス４４によって、本体ケース１にプロテクター５を固定する際には、同時に電装品ホルダー１５を固定できるので、手間をかけずに電装品ホルダー１５の強固な固定が可能である。さらに、図１に示すように、ねじ挿通孔１２から進入してくる水や塵埃等を、円筒状のねじボス１９の外周と底壁１０間にあるシールリング４５で封止する構成を採ることにより、ビス４４を取り外してプロテクター５の交換作業を行う場合に、シールリング４５は部品交換の影響を受けることなく適正な組み付け状態を維持できるので、長期にわたって封止機能を適正に発揮できる。
【００４４】
上記の締結状態において、プロテクター５と本体ケース１との表面は段差のない状態で滑らかに連続しており、プロテクター５と装填部９との間には、保護側壁３２の撓み変形を許す隙間Ｅが形成されている。また、プロテクター５の上部とスイッチパネル３の下部とは、図３において符号ｍで示す寸法分だけ上下方向へ互い違い状に重なっており、さらにプロテクター５の上部ときわぞり刃ユニット４の下部とが、符号ｎで示す寸法分だけ上下方向へ互い違い状に重なっている。
【００４５】
このように、スイッチパネル３およびきわぞり刃ユニット４と、プロテクター５とが本体ケース１の前後面と側面においてラップしていると、落下した本体ケース１の周囲壁が床面に直接に当たるのを極力避けて、本体ケース１が破損する可能性を減らすことができる。なお、スイッチパネル３やきわぞり刃ユニット４が装着された部分は本体ケース１とで二重壁となっている。スイッチパネル３やきわぞり刃ユニット４は、水密を保つ本体ケース１の外側で本体ケース１と嵌合結合しているので、ひび割れが生じても防水には影響がなく、そのままでも使用が可能である。しかし、本体ケース１が破損するとそうはいかず、その意味でも、スイッチパネル３やきわぞり刃ユニット４の保護部材としての存在意義は大きい。スイッチパネル３やきわぞり刃ユニット４が大きく破損した場合は、サービスセンターなどで交換する。
【００４６】
以上のようにプロテクター５を付加した電気かみそりによれば、プロテクター５の下部が床面に激突するとき、衝突衝撃をプロテクター５によって分散させ、あるいはプロテクター５が隙間Ｅの分だけ弾性変形することで衝撃を吸収し、本体ケース１に作用する衝撃を緩和できるので、本体ケース１の破損を効果的に防止できるのはもちろんのこと、質量が大きな２次電池１７等の内装部品がずれ動くのを阻止して、その電気的な接続部分が接触不良や断線に陥るのを解消できる。
【００４７】
床面に落下した電気かみそりが、図２に示すごとくバウンドしたのちプロテクター５の底隅を支点にして横倒れ状に倒れこみ、ロックボタン１３が床面に接当することがある。こうした場合には、ばね１４が弾性変形してロックボタン１３の衝突衝撃を吸収し、本体ケース１が２次的な衝突によって破損するのを防止できる。
【００４８】
図示していないが、本体ケース１の前面には、スイッチレバー軸用の軸穴と、表示灯７用の表示穴とが通設してある。さらに、きわぞり刃ユニット４が装着される本体ケース１の後面には、充電時に発生するガスを放出するためのガス抜き穴が通設してある。先の軸穴はシールリングによって、表示穴は本体ケース１に溶着したレンズ体によってそれぞれ封止され、ガス抜き穴は気液分離膜で封止してある。気液分離膜は、プロテクター５で覆われる本体ケース１の外面、即ち装填部９に設けることができ、これにより、気液分離幕がケース外面に露出するのを防いで、プロテクター５で保護できる。なお、気液分離膜はガスの通過は許すが、水の通過は阻止できる高分子膜であり、充電時に発生した水素ガスをケース外に放出して、爆発などの事故を回避するために設けてある。
【００４９】
図９は装填部９の別実施例を示す。そこでは、本体ケース１の下部表面に設けた装填部９の外郭線に沿って、プロテクター５の上側外郭線を受け止めるリブ壁５３が膨出形成されており、その表面とプロテクター５の表面とが滑らかに連続するようにしてある。このように、リブ壁５３を本体ケース１の表面に膨出形成されていると、てのひらや指の一部をリブ壁５３で受け止めて、手に持った電気かみそりが滑り落ちるのをよく防止できる。他は、先の実施例と同じであるので、同じ部材に同じ符号を付してその説明を省略する。
【００５０】
上記の実施例以外に、プロテクター５は保護筒壁３０と保護底壁３１とで構成し、保護側壁３２を省略してもよい。プロテクター５の全体をゴムやエラストマー樹脂で成形し、あるいは金属で形成してもよい。本体ケース１とプロテクター５はビス止めに限らず、圧嵌係合によって固定することができる。
【図面の簡単な説明】
【図１】電気かみそりの下半側のケース構造を示す縦断正面図である。
【図２】電気かみそりの正面図である。
【図３】電気かみそりの側面図である。
【図４】電気かみそりの一部を破断した分解正面図である。
【図５】電装品ホルダーおよび電池の分解斜視図と、電気回路の概略を示す説明図である。
【図６】かみそりヘッドの縦断正面図である。
【図７】本体ケースとプロテクターとの分解斜視図である。
【図８】電気かみそりの底部構造を示す斜視図である。
【図９】装填部の別実施例を示す一部破断正面図である。
【符号の説明】
１  本体ケース
３  スイッチパネル
５  プロテクター
９  装填部
１０  底壁
１５  電装品ホルダー
１７  電池
１８  モーター
２３  内刃
３０  保護筒壁
３１  保護底壁
３２  保護側壁
３５  滑り止め面
４４  ビス
【図１】
2004159775.tif 000003
【図２】
2004159775.tif 000004
【図３】
2004159775.tif 000005
【図４】
2004159775.tif 000006
【図５】
2004159775.tif 000007
【図６】
2004159775.tif 000008
【図７】
2004159775.tif 000009
【図８】
2004159775.tif 000010
【図９】
2004159775.tif 000011